(57)【特許請求の範囲】
【請求項１】
地図に関連した各種の店舗もしくはサービス施設、及び、該各種の店舗もしくはサービス施設についての営業時間帯をあらわすサービス情報データを含む地図情報が格納された各種情報記録媒体のうちの少なくとも一つが装着され、該情報記録媒体から上記地図情報を読み出す第１の記録媒体ドライブ部と、
ナビゲーション装置に装着されて利用されるべく用意された情報記録媒体が装着され、該情報記録媒体に地図情報を書き込む第２の記録媒体ドライブ部と、
上記第１の記録媒体ドライブ部に、該第１の記録媒体ドライブ部に装着された情報記録媒体から、営業時間帯と店舗もしくはサービス施設の種類とによって選択された特定の店舗もしくはサービス施設をあらわすサービス情報データとされる地図情報の読み出しを行わせる動作制御、及び、上記第２の記録媒体ドライブ部に、該第２の記録媒体ドライブ部に装着された情報記録媒体への上記第１の記録媒体ドライブ部により読み出された地図情報の書き込みを行わせる動作制御を行う動作制御部と、
を備えて構成される地図情報処理装置。
【発明の詳細な説明】
【０００１】
【発明の属する技術分野】
本発明は、サービス情報データ等によってあらわされる地図情報が格納された情報記録媒体から読み出すことができる地図情報を、他の情報記録媒体に取り込むことができる地図情報処理装置に関する。
【０００２】
【従来の技術】
車両についての路上走行補助システムの一つである車両用のナビゲーション装置として、車両における車室形成部に配された画像表示部を備え、その画像表示部に、当該車両の走行エリアを含んだ道路地図が表示されるとともに、その表示された道路地図上に重ねて、車両の現在位置，目的地，現在位置から目的地までの通過予定経路等の種々の情報が表示される状態がとられるようにされたものが提案されている。斯かるナビゲーション装置における画像表示部には、道路地図及びその上における車両の現在位置等の表示に加えて、特定の地域内におけるショッピング街，ホテル・旅館，レストラン等に関する地図情報の表示も行われるようにされることが多い。
【０００３】
このような車両用のナビゲーション装置にあっては、通常、コンピュータ部が備えられ、そのコンピュータ部に、情報記録媒体から情報を再生する情報再生部，画像表示部等が接続されていて、情報再生部，画像表示部等についてのコンピュータ部による動作制御が行われる。情報再生部には、道路地図及び道路地図上の各種建造物，設備，地域等を示すランドマークさらには地名等を示す文字をあらわす地図データ、あるいは、地図に関連した各種の店舗，サービス施設等についての様々な情報をあらわすサービス情報データ等によりあらわされる地図情報が格納された、比較的大なる記憶容量を有した情報記録媒体が装着される。
【０００４】
そして、情報記録媒体に格納された地図情報をあらわす地図データ，サービス情報データ等が、情報再生部によって適宜読み出されて再生され、情報記録媒体から得られた地図データ，サービス情報データ等に基づく映像信号が画像表示部に供給される。それにより、画像表示部において、例えば、地図データに基づき、各種建造物，設備，地域等を示すランドマークさらには地名等を含んだ道路地図が画像表示されるとともに、それに重畳されて車両の現在位置，通過予定経路等が画像表示される状態、あるいは、サービス情報データに基づき、地図に関連した各種の店舗，サービス施設等についての様々な情報が画像表示される状態が得られる。
【０００５】
情報再生部に装着されて用いられる、地図情報が格納された情報記録媒体は、例えば、それからの情報の読出しが光ビームが用いられて行われる、情報読出し専用のディスク状記録媒体であるコンパクト光ディスクとされる。斯かる情報読出し専用のコンパクト光ディスクにあっては、予め地図データ，サービス情報データ等が格納されたものとされて使用者に渡され、使用者による予め格納された地図データ，サービス情報データ等の消去あるいは新たな地図データ，サービス情報データ等の書込みは不可とされる。
【０００６】
【発明が解決しようとする課題】
上述の如くに、コンピュータ部に接続された情報再生部及び画像表示部を備えたナビゲーション装置が実際の使用に供される際には、情報再生部に、予め地図情報が格納されたコンパクト光ディスク等の情報記録媒体が装着されるが、斯かる情報記録媒体は、予め格納された地図情報の内容に応じて様々に分類されている。例えば、地図データによりあらわされる道路地図の縮尺別あるいは地域別に分類されたもの、サービス情報データによりあらわされる各種の店舗，サービス施設等の種別に分類されたものとされる。
【０００７】
具体的には、地図データによりあらわされる道路地図の縮尺別あるいは地域別に分類された情報記録媒体の場合には、例えば、日本全国の主要道路地図をあらわす地図データが格納されたもの，複数の都府県を含む各地方内の道路地図をあらわす地図データが夫々格納されたもの，各都府県内の道路地図をあらわす地図データが夫々格納されたもの，各都市内の詳細な道路地図をあらわす地図データが夫々格納されたもの等々とされる。また、サービス情報データによりあらわされる各種の店舗，サービス施設等の種別に分類された情報記録媒体の場合には、例えば、各業種に属する多数の店舗の夫々に関する多種類に亙る情報をあらわすサービス情報データが格納されたもの，各種のサービス施設の夫々に関する多種類に亙る情報をあらわすサービス情報データが格納されたもの等々とされる。
【０００８】
従って、予め地図情報が格納された情報記録媒体を情報再生部に装着してその情報記録媒体からの地図情報を得るナビゲーション装置の使用者は、分類された多数の情報記録媒体のなかから、自己の目的あるいは意図するところに適合した情報記録媒体を選択することが必要とされ、さらには、必要に応じて、情報再生部に装着される情報記録媒体を適宜交換することが要求される。一つの情報記録媒体に予め格納された地図情報には、使用者が望む情報がその一部分に含まれているだけで、他の部分は当該使用者が望まない情報であるというような状況が少なからず生じるからである。
【０００９】
このような情報記録媒体についてのそれに格納された地図情報の内容に応じた選択あるいは交換は、使用者に煩わしさを覚えさせることになってしまい、また、実質的に、分類を異にする数多くの情報記録媒体を取り揃えることを使用者に要求する結果となり、使用者に負担を課することになるという問題がある。
【００１０】
斯かる点に鑑み、本発明は、予め地図情報が格納された情報記録媒体を情報再生部に装着し、その情報記録媒体に格納された地図情報を再生して利用する、ナビゲーション装置の使用者に、分類を異にする数多くの情報記録媒体を取り揃えて情報再生部に選択的に装着することが要されず、しかも、例えば、一つの情報記録媒体から所望の地図情報を効率良く得ることができる状況をもたらすことが可能とされる地図情報処理装置を提供する。
【００１１】
【課題を解決するための手段】
本発明に係る地図情報処理装置は、地図に関連した各種の店舗もしくはサービス施設、及び、その各種の店舗もしくはサービス施設についての営業時間帯をあらわすサービス情報データを含む地図情報が格納された各種情報記録媒体のうちの少なくとも一つが装着され、その情報記録媒体から地図情報を読み出す第１の記録媒体ドライブ部と、ナビゲーション装置に装着されて用いられるべく用意された情報記録媒体が装着され、その情報記録媒体に地図情報を書き込む第２の記録媒体ドライブ部と、第１及び第２の記録媒体ドライブ部の夫々についての動作制御を行う動作制御部とを備え、動作制御部による第１の記録媒体ドライブ部についての動作制御が、第１の記録媒体ドライブ部に、それに装着された情報記録媒体から、営業時間帯と店舗もしくはサービス施設の種類とによって選択された特定の店舗もしくはサービス施設をあらわすサービス情報データとされる地図情報の読み出しを行わせるものとされ、また、動作制御部による第２の記録媒体ドライブ部についての動作制御が、第２の記録媒体ドライブ部に、それに装着された情報記録媒体への第１の記録媒体ドライブ部により読み出された地図情報の書き込みを行わせるものとされて、構成される。
【００１３】
上述の如くの本発明に係る地図情報処理装置によれば、例えば、各々に格納された地図情報の内容に従った分類を異にする複数の情報記録媒体の夫々が、第１の記録媒体ドライブ部に装着されて、それら複数の情報記録媒体の夫々から、それに格納された地図情報のうちの、営業時間帯と店舗もしくはサービス施設の種類とによって選択された特定の店舗もしくはサービス施設をあらわすサービス情報データとされる地図情報が読み出され、その読み出された地図情報が、第２の記録媒体ドライブ部に装着された一つの情報記録媒体に書き込まれる。斯かる地図情報の書き込みが行われる情報記録媒体は、第２の記録媒体ドライブ部から取り外されてナビゲーション装置に装着されて使用されるものとされる。
【００１４】
そして、このように第２の記録媒体ドライブ部から取り外されてナビゲーション装置に装着されて使用される一つの情報記録媒体は、例えば、複数の情報記録媒体の夫々に格納された地図情報のうちの、営業時間帯と店舗もしくはサービス施設の種類とによって選択された特定の店舗もしくはサービス施設をあらわすサービス情報データとされる地図情報のみが、収集されて取り込まれたナビゲーション装置用情報記録媒体とされる。それにより、ナビゲーション装置により特定の店舗もしくはサービス施設の提供を行わせるため、当該ナビゲーション装置に複数の情報記録媒体の夫々を装着することが不要とされることになる。
【００１５】
このようにしてナビゲーション装置用情報記録媒体を得ることができる本発明に係る地図情報処理装置にあっては、それによってナビゲーション装置の使用者が自らが用いるナビゲーション装置用情報記録媒体を得る場合、ナビゲーション装置の使用者が、自らが望む所望の地図情報が収集されて格納されたナビゲーション装置用情報記録媒体を、容易に得ることができることになる結果をもたらす。そして、斯かるナビゲーション装置用情報記録媒体が、ナビゲーション装置における情報再生部に装着され、それに格納された地図情報が再生されて利用されるときには、ナビゲーション装置の使用者は、例えば、分類を異にする数多くの情報記録媒体を取り揃えて、それらをナビゲーション装置における情報再生部に選択的に装着することが要されず、一つの情報記録媒体から所望の店舗もしくはサービス施設をあらわすサービス情報データとされる地図情報を効率良く得ることができる状況のもとにおかれることになる。即ち、本発明に係る地図情報処理装置により、ナビゲーション装置の使用者にとって、分類を異にする数多くの情報記録媒体を取り揃えて情報再生部に選択的に装着することが要されず、例えば、一つの情報記録媒体から所望の地図情報を効率良く得ることができる状況がもたらされるのである。
【００１６】
【発明の実施の形態】
図１は、本発明に係る地図情報処理装置の一例、及び、本発明に係る地図情報処理装置の一例により得られたナビゲーション装置用情報記録媒体が用いられるナビゲーション装置を示す。
【００１７】
図１に示される地図情報処理装置にあっては、各々が地図情報が階層を形成する態様をもって格納されたものとされる複数の地図情報記録媒体のうちの少なくとも一つが用意される。これらの複数の地図情報記録媒体は、各々が、例えば、それに階層を形成する態様をもって格納された地図情報の読出しが光ビームが用いられ行われる、ディスク状の情報読出し専用記録媒体であるコンパクト光ディスク（ＣＤ−ＲＯＭ）とされ、例えば、図１に示される如くの、ＣＤ−ＲＯＭ（Ｄ１），（Ｄ２），（Ｄ３），（Ｄ４）及び（Ｄ５）を含むものとされる。
【００１８】
このような地図情報記録媒体に階層を形成する態様をもって格納された地図情報は、道路地図及び道路地図上の各種建造物，設備，地域等を示すランドマークさらには地名等を示す文字をあらわす地図データ、あるいは、地図に関連した各種の店舗，サービス施設等についての様々な情報をあらわすサービス情報データ等によってあらわされる。例えば、ＣＤ−ＲＯＭ（Ｄ１）の地図情報は、日本全国の主要道路地図をあらわす全国版地図データが階層を形成する態様をもって格納されたものとされ、ＣＤ−ＲＯＭ（Ｄ２）の地図情報は、九州地方内の道路地図をあらわす九州版地図データが階層を形成する態様をもって格納されたものとされ、ＣＤ−ＲＯＭ（Ｄ３）の地図情報は、中国四国地方内の道路地図をあらわす中国四国版地図データが階層を形成する態様をもって格納されたものとされ、ＣＤ−ＲＯＭ（Ｄ４）の地図情報は、広島市内における住宅地図をあらわす広島市住宅地図データが階層を形成する態様をもって格納されたものとされ、さらに、ＣＤ−ＲＯＭ（Ｄ５）の地図情報は、各業種に属する多数の店舗の夫々に関する多種類に亙る情報をあらわすサービス情報データが階層を形成する態様をもって格納されたものとされる。
【００１９】
そして、図１に示される地図情報処理装置においては、例えば、ＣＤ−ＲＯＭ（Ｄ１），（Ｄ２），（Ｄ３），（Ｄ４）及び（Ｄ５）とされる複数の地図情報記録媒体のうちの一つが装着される、ＣＤ−ＲＯＭ用のディスク・ドライブ部１１が備えられている。ディスク・ドライブ部１１は、その動作時に、装着されたＣＤ−ＲＯＭ（Ｄ１），（Ｄ２），（Ｄ３），（Ｄ４）及び（Ｄ５）のうちの一つに階層を形成する態様をもって格納された地図データもしくはサービス情報データによりあらわされる地図情報についての、各種の選択態様のもとでの選択読出しを行い、さらに、装着されたＣＤ−ＲＯＭ（Ｄ１），（Ｄ２），（Ｄ３），（Ｄ４）及び（Ｄ５）のうちの一つに設けられているテーブル・オブ・コンテンツ領域（ＴＯＣ領域）から、格納されているデータの内容の概略をあらわすＴＯＣデータについての読出しも行う。
【００２０】
また、図１に示される地図情報処理装置においては、ディスク状の情報書込み可能記録媒体であるコンパクト光ディスク（ＰＣＤ）が装着される、ＰＣＤ用のディスク・ドライブ部１２も備えられている。ＰＣＤは、光ビームが用いられて、書き込まれた情報の読出しのみならず、書き込まれた情報の消去及び新たな情報の書込みが行われるものであり、新たな情報の書込みは、例えば、相変化記録によってなされる。
【００２１】
ＣＤ−ＲＯＭ用のディスク・ドライブ部１１及びＰＣＤ用のディスク・ドライブ部１２は、データ読出し／書込み処理部１３に連結されている。データ読出し／書込み処理部１３にはキーボード１４及びマウス１５が接続されており、データ読出し／書込み処理部１３は、各種のアイコンが表示されるともに、キーボード１４の操作及びマウス１５の操作に応じて、カーソル移動及びアイコンクリック等が行われる画像表示部を備えている。そして、データ読出し／書込み処理部１３は、キーボード１４が操作されるとき、あるいはマウス１５が操作されるとき、その操作に応じて、ＣＤ−ＲＯＭ用のディスク・ドライブ部１１及びＰＣＤ用のディスク・ドライブ部１２の夫々についての動作制御を行う動作制御部とされている。
【００２２】
データ読出し／書込み処理部１３によるＣＤ−ＲＯＭ用のディスク・ドライブ部１１についての動作制御は、少なくとも、ディスク・ドライブ部１１に、それに装着されたＣＤ−ＲＯＭ（Ｄ１），（Ｄ２），（Ｄ３），（Ｄ４）及び（Ｄ５）のうちの一つからＴＯＣデータを読み出す動作、及び、地図情報を選択して読み出す動作を行わせる制御を含むものとされる。また、データ読出し／書込み処理部１３によるＰＣＤ用のディスク・ドライブ部１２についての動作制御は、少なくとも、ディスク・ドライブ部１２に、それに装着されたＰＣＤに選択された地図情報をあらわすデータを、例えば、車両に搭載されるナビゲーション装置により読み出して利用することができるように書き込む動作を行わせる制御を含むものとされる。
【００２３】
このようなもとで、図１に示される地図情報処理装置により本発明に係る地図情報取込方法の一例を実施する際には、先ず、複数の地図情報記録媒体であるＣＤ−ＲＯＭ（Ｄ１），（Ｄ２），（Ｄ３），（Ｄ４）及び（Ｄ５）のうちの一つをディスク・ドライブ部１１に装着するとともに、データの書込みがなされていない未記録のＰＣＤであるＰＣＤ（ＰＶ）をディスク・ドライブ部１２に装着する。
【００２４】
そして、ディスク・ドライブ部１１に装着されたＣＤ−ＲＯＭ（Ｄ１），（Ｄ２），（Ｄ３），（Ｄ４）及び（Ｄ５）のうちの一つに階層を形成する態様をもって格納されている地図情報が如何なるものかを判別し、その判別結果に応じたデータ選択メニューをデータ読出し／書込み処理部１３が備える画像表示部上に設定する。斯かる地図情報に関する判別及びデータ選択メニューの設定は、キーボード１４及びマウス１５を適宜操作して、データ読出し／書込み処理部１３に、ディスク・ドライブ部１１に各種の制御信号ＣＣを送出して、図２に示されるフローチャートによってあらわされる制御プログラムを実行する状態をとらせることによって行う。
【００２５】
データ読出し／書込み処理部１３は、図２に示されるフローチャートによってあらわされる制御プログラムを実行する際には、スタート後、ステップ２１において、ディスク・ドライブ部１１を作動させる。続いて、ステップ２２において、ディスク・ドライブ部１１に、装着されたＣＤ−ＲＯＭ（Ｄ１），（Ｄ２），（Ｄ３），（Ｄ４）及び（Ｄ５）のうちの一つに設けられているＴＯＣ領域から、そこに格納されたＴＯＣデータＤＴを読み出す動作を行わせ、ディスク・ドライブ部１１によって読み出されたＴＯＣデータＤＴを取り込む。
【００２６】
次に、ステップ２３において、取り込まれたＴＯＣデータＤＴに基づき、ディスク・ドライブ部１１に装着されたＣＤ−ＲＯＭ（Ｄ１），（Ｄ２），（Ｄ３），（Ｄ４）及び（Ｄ５）のうちの一つに地図データが格納されているか否かを判断する。その結果、地図データが格納されている場合には、ステップ２４において、メニュー“地図データ”をデータ選択メニューとして画像表示部上に設定し、その後、ステップ２５に進む。また、ステップ２３での判断の結果、ディスク・ドライブ部１１に装着されたＣＤ−ＲＯＭ（Ｄ１），（Ｄ２），（Ｄ３），（Ｄ４）及び（Ｄ５）のうちの一つに地図データが格納されていない場合には、ステップ２３から直接にステップ２５へと進む。
【００２７】
ステップ２５においては、ステップ２２で取り込まれたＴＯＣデータＤＴに基づき、ディスク・ドライブ部１１に装着されたＣＤ−ＲＯＭ（Ｄ１），（Ｄ２），（Ｄ３），（Ｄ４）及び（Ｄ５）のうちの一つにサービス情報データが格納されているか否かを判断する。その結果、サービス情報データが格納されている場合には、ステップ２６において、メニュー“サービス情報データ”をデータ選択メニューとして画像表示部上に設定し、その後、ステップ２７に進む。また、ステップ２５での判断の結果、ディスク・ドライブ部１１に装着されたＣＤ−ＲＯＭ（Ｄ１），（Ｄ２），（Ｄ３），（Ｄ４）及び（Ｄ５）のうちの一つにサービス情報データが格納されていない場合には、ステップ２５から直接にステップ２７へと進む。
【００２８】
ステップ２７においては、ステップ２２で取り込まれたＴＯＣデータＤＴに基づき、ディスク・ドライブ部１１に装着されたＣＤ−ＲＯＭ（Ｄ１），（Ｄ２），（Ｄ３），（Ｄ４）及び（Ｄ５）のうちの一つにその他のデータが格納されているか否かを判断する。その結果、その他のデータが格納されている場合には、ステップ２８において、メニュー“その他のデータ”をデータ選択メニューとして画像表示部上に設定し、その後、ステップ２９に進む。また、ステップ２７での判断の結果、ディスク・ドライブ部１１に装着されたＣＤ−ＲＯＭ（Ｄ１），（Ｄ２），（Ｄ３），（Ｄ４）及び（Ｄ５）のうちの一つにその他のデータが格納されていない場合には、ステップ２７から直接にステップ２９へと進む。
【００２９】
ステップ２９においては、メニュー“地図データ”，メニュー“サービス情報データ”及びメニュー“その他のデータ”のうちの少なくとも一つが設定された、もしくは、メニュー“地図データ”，メニュー“サービス情報データ”及びメニュー“その他のデータ”のうちのいずれも設定されていない、メインメニュー画面を画像表示部上に設定し、その後プログラムを終了する。メインメニュー画面は、例えば、図３に示される如くとされ、メニュー“地図データ”，メニュー“サービス情報データ”及びメニュー“その他のデータ”の夫々について、それが設定されているばあいには、その背景色が周囲の部分の色とは異なるものとされる。
【００３０】
次に、このようにして、ディスク・ドライブ部１１に装着されたＣＤ−ＲＯＭ（Ｄ１），（Ｄ２），（Ｄ３），（Ｄ４）及び（Ｄ５）のうちの一つに階層を形成する態様をもって格納されている地図情報が如何なるものかが判別されたもとで、ディスク・ドライブ部１１に装着されたＣＤ−ＲＯＭ（Ｄ１），（Ｄ２），（Ｄ３），（Ｄ４）及び（Ｄ５）のうちの一つから、それに階層を形成する態様をもって格納されている地図情報のうちの所望の階層を成すものを選択して読み出す。斯かる地図情報のうちの所望の階層を成すものについての選択読出しは、データ読出し／書込み処理部１３に予め内蔵された、メインメニュー画面から始まるデータ選択読出プログラムを作動させ、それに従う操作をもって行う。
【００３１】
データ選択読出プログラムに従った操作は、主としてマウス１５の操作による、データ読出し／書込み処理部１３が備える画像表示部上におけるカーソルの移動及びアイコンクリックによるものとする。
【００３２】
図３に示されるメインメニュー画面において、メニュー“地図データ”，メニュー“サービス情報データ”及びメニュー“その他のデータ”のうちのいずれも設定されていない場合には、アイコン“キャンセル”に対するクリックを行う。それにより、メインメニュー画面は消え、地図情報のうちの所望の階層を成すものについての選択読出しは実質的に行われない。
【００３３】
また、地図情報のうちの所望の階層を成すものが地図データによってあらわされるという場合には、図３に示されるメインメニュー画面においてメニュー“地図データ”が設定されているもとで、メインメニュー画面におけるメニュー“地図データ”とアイコン“選択”とに対するクリックを行う。それにより、メインメニュー画面から、次画面である一番目のエリア選択用画面へと切り換わる。この一番目のエリア選択用画面には、ＴＯＣデータＤＴに基づいて検出される、ディスク・ドライブ部１１に装着されたＣＤ−ＲＯＭ（Ｄ１），（Ｄ２），（Ｄ３），（Ｄ４）及び（Ｄ５）のうちの一つに格納されている地図データのうちの第１の階層を成すものに応じたエリア選択メニューが設定される。
【００３４】
一番目のエリア選択用画面は、例えば、図４のＡに示される如くの、各選択メニューが“九州”，“中国”という如くに複数の都府県を含む地方をあらわすものとして設定される。その際、各地方についての地図データのデータ量が、例えば、“５０ＭＢ”，“４０ＭＢ”というように画像表示される。さらに、このときディスク・ドライブ部１２に装着されたＰＣＤにおける地図情報の新たな取込みに使用可能なデータ取込残容量も、例えば、“８９０ＭＢ”というように画像表示される。
【００３５】
ここで、地図情報のうちの所望の階層を成すものをあらわす地図データが、或る地方、例えば、九州地方についてのものであるときには、メニュー“九州”とアイコン“選択”とに対するクリックを行う。それにより、地図情報のうちの所望の階層を成すものとして、九州地方についての地図データが選択される。
【００３６】
また、地図情報のうちの所望の階層を成すものをあらわす地図データが、地方についてのものでなく、或る地方、例えば、九州地方内のさらに詳細なエリアについてのものであるときには、メニュー“九州”とアイコン“詳細”とに対するクリックを行う。それにより、一番目のエリア選択用画面から、さらなる次画面である二番目のエリア選択用画面へと切り換わる。この二番目のエリア選択用画面には、ＴＯＣデータＤＴに基づいて検出される、ディスク・ドライブ部１１に装着されたＣＤ−ＲＯＭ（Ｄ１），（Ｄ２），（Ｄ３），（Ｄ４）及び（Ｄ５）のうちの一つに格納されている地図データのうちの第２の階層を成すものに応じたエリア選択メニューが設定される。
【００３７】
二番目のエリア選択用画面にあっては、例えば、図４のＢに示される如くに、各選択メニューが“福岡県”，“佐賀県”という如くに九州地方内の県をあらわすものとして設定される。その際、各県についての地図データのデータ量が、例えば、“１１ＭＢ”，“６ＭＢ”というように画像表示され、さらに、このときディスク・ドライブ部１２に装着されたＰＣＤにおける地図情報の新たな取込みに使用可能なデータ取込残容量も、例えば、“８９０ＭＢ”というように画像表示される。
【００３８】
ここで、地図情報のうちの所望の階層を成すものをあらわす地図データが、或る県、例えば、福岡県についてのものであるときには、メニュー“福岡県”とアイコン“選択”とに対するクリックを行う。それにより、地図情報のうちの所望の階層を成すものとして、福岡県についての地図データが選択される。
【００３９】
また、地図情報のうちの所望の階層を成すものをあらわす地図データが、県についてのものでなく、或る県内のさらに詳細なエリアについてのものであるときには、図４のＢに示される二番目のエリア選択用画面にはアイコン“詳細”が無く、このときディスク・ドライブ部１１に装着されたＣＤ−ＲＯＭ（Ｄ１），（Ｄ２），（Ｄ３），（Ｄ４）及び（Ｄ５）のうちの一つには斯かる地図データは格納されていないので、アイコン“キャンセル”に対するクリックを行って、地図情報のうちの所望の階層を成すものについての選択を断念する。
【００４０】
また、ディスク・ドライブ部１１に装着されたＣＤ−ＲＯＭ（Ｄ１），（Ｄ２），（Ｄ３），（Ｄ４）及び（Ｄ５）のうちの一つによっては、一番目のエリア選択用画面が、例えば、図５のＡに示される如くの、各選択メニューが““福岡県”，“佐賀県”という如くに九州地方内の県をあらわすものとして設定されるものとされる。斯かる際にも、各県についての地図データのデータ量が、例えば、“１１ＭＢ”，“６ＭＢ”というように画像表示され、さらに、このときディスク・ドライブ部１２に装着されたＰＣＤにおける地図情報の新たな取込みに使用可能なデータ取込残容量も、例えば、“８９０ＭＢ”というように画像表示される。
【００４１】
ここで、地図情報のうちの所望の階層を成すものをあらわす地図データが、或る県、例えば、福岡県についてのものであるときには、メニュー“福岡県”とアイコン“選択”とに対するクリックを行う。それにより、地図情報のうちの所望の階層を成すものとして、福岡県についての地図データが選択される。
【００４２】
また、地図情報のうちの所望の階層を成すものをあらわす地図データが、県についてのものでなく、或る県内、例えば、福岡県内のさらに詳細なエリアについてのものであるときには、メニュー“福岡県”とアイコン“詳細”とに対するクリックを行う。それにより、一番目のエリア選択用画面から、さらなる次画面である二番目のエリア選択用画面へと切り換わる。この二番目のエリア選択用画面には、ＴＯＣデータＤＴに基づいて検出される、ディスク・ドライブ部１１に装着されたＣＤ−ＲＯＭ（Ｄ１），（Ｄ２），（Ｄ３），（Ｄ４）及び（Ｄ５）のうちの一つに格納されている地図データのうちの第２の階層を成すものに応じたエリア選択メニューが設定される。
【００４３】
斯かる際における二番目のエリア選択用画面にあっては、例えば、図５のＢに示される如くに、各選択メニューが“福岡市博多区”，“福岡市東区”という如くに福岡県内の各市における区をあらわすものとして設定される。そして、各区についての地図データのデータ量が、例えば、“２．５ＭＢ”，“３．０ＭＢ”というように画像表示され、さらに、このときディスク・ドライブ部１２に装着されたＰＣＤにおける地図情報の新たな取込みに使用可能なデータ取込残容量も、例えば、“８９０ＭＢ”というように画像表示される。
【００４４】
ここで、地図情報のうちの所望の階層を成すものをあらわす地図データが、或る区、例えば、福岡市博多区についてのものであるときには、メニュー“福岡市博多区”とアイコン“選択”とに対するクリックを行う。それにより、地図情報のうちの所望の階層を成すものとして、福岡市博多区についての地図データが選択される。
【００４５】
また、地図情報のうちの所望の階層を成すものをあらわす地図データが、区についてのものでなく、或る区内のさらに詳細なエリアについてのものであるときには、図５のＢに示される二番目のエリア選択用画面にはアイコン“詳細”が無く、このときディスク・ドライブ部１１に装着されたＣＤ−ＲＯＭ（Ｄ１），（Ｄ２），（Ｄ３），（Ｄ４）及び（Ｄ５）のうちの一つには斯かる地図データは格納されていないので、アイコン“キャンセル”に対するクリックを行って、地図情報のうちの所望の階層を成すものについての選択を断念する。
【００４６】
これに対して、地図情報のうちの所望の階層を成すものがサービス情報データによってあらわされるという場合には、図３に示されるメインメニュー画面においてメニュー“サービス情報データ”が設定されているもとで、メインメニュー画面におけるメニュー“サービス情報データ”とアイコン“選択”とに対するクリックを行う。それにより、メインメニュー画面から、次画面である一番目のサービス選択用画面へと切り換わる。この一番目のサービス選択用画面には、ＴＯＣデータＤＴに基づいて検出される、ディスク・ドライブ部１１に装着されたＣＤ−ＲＯＭ（Ｄ１），（Ｄ２），（Ｄ３），（Ｄ４）及び（Ｄ５）のうちの一つに格納されているサービス情報データのうちの第１の階層を成すものに応じたサービス選択メニューが設定される。
【００４７】
一番目のサービス選択用画面は、例えば、図６のＡに示される如くの、各選択メニューが“飲食店”，“金融機関”という如くにサービス業種をあらわすものとして設定される。このとき、一番目のサービス選択用画面内に、ディスク・ドライブ部１２に装着されたＰＣＤにおける地図情報の新たな取込みに使用可能なデータ取込残容量が画像表示される場合もある。
【００４８】
ここで、地図情報のうちの所望の階層を成すものをあらわすサービス情報データが、或るサービス業種の全体、例えば、飲食店の全体についてのものであるときには、メニュー“飲食店”とアイコン“選択”とに対するクリックを行う。それにより、地図情報のうちの所望の階層を成すものとして、飲食店全体についてのサービス情報データが選択される。
【００４９】
また、地図情報のうちの所望の階層を成すものをあらわすサービス情報データが、飲食店全体についてのものでなく、或るサービス業種、例えば、飲食店のうちの限られた種類についてのものであるときには、メニュー“飲食店”とアイコン“詳細”とに対するクリックを行う。それにより、一番目のサービス選択用画面から、さらなる次画面である二番目のサービス選択用画面へと切り換わる。この二番目のサービス選択用画面には、ＴＯＣデータＤＴに基づいて検出される、ディスク・ドライブ部１１に装着されたＣＤ−ＲＯＭ（Ｄ１），（Ｄ２），（Ｄ３），（Ｄ４）及び（Ｄ５）のうちの一つに格納されているサービス情報データのうちの第２の階層を成すものに応じたサービス選択メニューが設定される。
【００５０】
二番目のサービス選択用画面にあって、例えば、図６のＢに示される如くに、各選択メニューが“ファミリーレストラン”，“ファーストフード店”という如くに飲食店の範囲内でより詳細に分けられた業種をあらわすものとして設定される。このときにも、ディスク・ドライブ部１２に装着されたＰＣＤにおける地図情報の新たな取込みに使用可能なデータ取込残容量が画像表示される場合がある。
【００５１】
ここで、地図情報のうちの所望の階層を成すものをあらわすサービス情報データが、或る詳細に分けられた業種、例えば、和食店についてのものであるときには、メニュー“和食店”とアイコン“選択”とに対するクリックを行う。それにより、地図情報のうちの所望の階層を成すものとして、和食店についてのサービス情報データが選択される。
【００５２】
また、地図情報のうちの所望の階層を成すものをあらわすサービス情報データが、或る詳細に分けられた業種についてのものでなく、或る詳細に分けられた業種、例えば、和食店についてさらに詳細に分けられた分類についてのものであるときには、メニュー“和食店”とアイコン“詳細”とに対するクリックを行う。それにより、二番目のサービス選択用画面から、さらなる次画面である三番目のサービス選択用画面へと切り換わる。この三番目のサービス選択用画面には、ＴＯＣデータＤＴに基づいて検出される、ディスク・ドライブ部１１に装着されたＣＤ−ＲＯＭ（Ｄ１），（Ｄ２），（Ｄ３），（Ｄ４）及び（Ｄ５）のうちの一つに格納されているサービス情報データのうちの第３の階層を成すものに応じたサービス選択メニューが設定される。
【００５３】
三番目のサービス選択用画面にあって、例えば、図６のＣに示される如くに、各選択メニューが“うどん・そば”，“天ぷら”という如くに和食店が提供する主たる料理をあらわすものとして設定される。
【００５４】
ここで、地図情報のうちの所望の階層を成すものをあらわすサービス情報データが、和食店が提供する或る料理、例えば、うどん・そばについてのものであるときには、メニュー“うどん・そば”とアイコン“選択”とに対するクリックを行う。それにより、地図情報のうちの所望の階層を成すものとして、主たる料理としてうどん・そばを提供する和食店についてのサービス情報データが選択される。
【００５５】
また、三番目のサービス選択用画面は、例えば、図７に示される如くに、各選択メニューが“無料駐車場有り”，“有料駐車場有り”というように設定されて、駐車場を備えた店（この場合には和食店）を選択できるものとされる。
【００５６】
ここで、地図情報のうちの所望の階層を成すものをあらわすサービス情報データが、無料駐車場を備えた和食店についてのものであるときには、メニュー“無料駐車場有り”とアイコン“選択”とに対するクリックを行う。それにより、地図情報のうちの所望の階層を成すものとして、無料駐車場を備えた和食店についてのサービス情報データが選択される。
【００５７】
三番目のサービス選択用画面の他の例は、図８に示される如くに、選択メニューが“    〜１１：００”，“１１：００〜１４：００”というように時間をあらわすものとして設定されて、或る時間帯において営業している店（この場合には和食店）を選択できるものとされる。
【００５８】
ここで、地図情報のうちの所望の階層を成すものをあらわすサービス情報データが、例えば、１１：００〜１４：００の時間帯において営業している和食店についてのものであるときには、メニュー“１１：００〜１４：００”とアイコン“選択”とに対するクリックを行う。それにより、地図情報のうちの所望の階層を成すものとして、１１：００〜１４：００の時間帯において営業している和食店についてのサービス情報データが選択される。
【００５９】
さらに、地図情報のうちの所望の階層を成すものが、地図データでもサービス情報データでもない、その他のデータによってあらわされるという場合には、図３に示されるメインメニュー画面においてメニュー“その他のデータ”が設定されているもとで、メインメニュー画面におけるメニュー“その他のデータ”とアイコン“選択”とに対するクリックを行う。それにより、メインメニュー画面から、次画面である一番目のサービス選択用画面へと切り換わり、この一番目のサービス選択用画面には、ＴＯＣデータＤＴに基づいて検出される、ディスク・ドライブ部１１に装着されたＣＤ−ＲＯＭ（Ｄ１），（Ｄ２），（Ｄ３），（Ｄ４）及び（Ｄ５）のうちの一つに格納されているその他のデータのうちの第１の階層を成すものに応じたデータ選択メニューが設定される。
【００６０】
斯かる際にも、上述の地図情報のうちの所望の階層を成すものが地図データもしくはサービス情報データによってあらわされる場合と同様にして、データの選択を行う。それにより、地図情報のうちの所望の階層を成すものとして、特定のデータが選択される。
【００６１】
このようにして、ドライブ部１１に装着されたＣＤ−ＲＯＭ（Ｄ１），（Ｄ２），（Ｄ３），（Ｄ４）及び（Ｄ５）のうちの一つに格納された地図情報のうちの所望の階層を成すものをあらわす地図データの選択、例えば、図４のＡに示される一番目のエリア選択用画面，図４のＢに示される二番目のエリア選択用画面，図５のＡに示される一番目のエリア選択用画面及び図５のＢに示される二番目のエリア選択用画面のいずれかでの地図データの選択，あるいは、サービス情報データの選択、例えば、図６のＡに示される一番目のサービス選択用画面，図６のＢに示される二番目のサービス選択用画面及び図６のＣに示される三番目のサービス選択用画面，図７に示される三番目のサービス選択用画面、及び、図８に示される三番目のサービス選択用画面のいずれかでのサービス情報データの選択、さもなくば、その他のデータの選択が行われると、データ読出し／書込み処理部１３が、ディスク・ドライブ部１１に、それに装着されたＣＤ−ＲＯＭ（Ｄ１），（Ｄ２），（Ｄ３），（Ｄ４）及び（Ｄ５）のうちの一つから、選択された地図データ，サービス情報データもしくはその他のデータを、地図情報のうちの所望の階層を成すものをあらわすものとして読み出す動作を行わせる。
【００６２】
そして、データ読出し／書込み処理部１３は、ディスク・ドライブ部１１において選択されて読み出された地図データＤＭ，サービス情報データＤＳもしくはその他のデータＤＸを取り込み、それを地図情報のうちの所望の階層を成すものをあらわすものとして、内蔵メモリに格納する。それにより、ディスク・ドライブ部１１に装着されたＣＤ−ＲＯＭ（Ｄ１），（Ｄ２），（Ｄ３），（Ｄ４）及び（Ｄ５）のうちの一つに格納された地図情報のうちの所望の階層を成すものについての選択読出しが行われたことになる。
【００６３】
上述の如くにして、ディスク・ドライブ部１１に装着されたＣＤ−ＲＯＭ（Ｄ１），（Ｄ２），（Ｄ３），（Ｄ４）及び（Ｄ５）のうちの一つに格納された地図情報のうちの所望の階層を成すものについての選択読出しが行われた後には、読み出された地図情報のうちの所望の階層を成すものを、ディスク・ドライブ部１２に装着されたＰＣＤ（ＰＶ）に、ナビゲーション装置により読み出して利用することが可能とされる態様をもって書き込むことにより取り込み、ナビゲーション装置用情報記録媒体を形成する。
【００６４】
斯かる際における、読み出された地図情報のうちの所望の階層を成すものについてのディスク・ドライブ部１２に装着されたＰＣＤ（ＰＶ）への書込み、及び、それによるナビゲーション装置用情報記録媒体の形成も、上述のデータ選択読出プログラムに続く、データ書込みプログラムを作動させ、それに従う操作をもって行う。
【００６５】
上述のデータ選択読出プログラムに従って、ドライブ部１１に装着されたＣＤ−ＲＯＭ（Ｄ１），（Ｄ２），（Ｄ３），（Ｄ４）及び（Ｄ５）のうちの一つに格納された地図情報のうちの所望の階層を成すものについての選択読出しが行われると、データ書込みプログラムが作動し、データ読出し／書込み処理部１３が備える画像表示部上に、例えば、図９に示される如くの、データ記録用画面が現れる。このデータ記録用画面においては、選択メニューとして、メニュー“記録する”とメニュー“記録しない”とが設定される。
【００６６】
そこで、データ記録用画面におけるメニュー“記録する”とアイコン“選択”とに対するクリックを行う。メニュー“記録する”とアイコン“選択”とに対するクリックが行われると、データ読出し／書込み処理部１３が、地図情報のうちの所望の階層を成すものをあらわすものとして内蔵メモリに格納された地図データＤＭ，サービス情報データＤＳもしくはその他のデータＤＸを、制御信号ＣＰと共に、ディスク・ドライブ部１２に供給し、ディスク・ドライブ部１２に、それに装着されたＰＣＤ（ＰＶ）に地図データＤＭ，サービス情報データＤＳもしくはその他のデータＤＸを、ナビゲーション装置により読み出して利用することが可能とされる態様をもって書き込む動作を行わせる。
【００６７】
それにより、地図データＤＭ，サービス情報データＤＳもしくはその他のデータＤＸがナビゲーション装置により読み出して利用することが可能とされる態様をもって書き込まれたＰＣＤ（Ｐ）が、ナビゲーション装置用情報記録媒体として形成される。即ち、ディスク・ドライブ部１１に装着されたＣＤ−ＲＯＭ（Ｄ１），（Ｄ２），（Ｄ３），（Ｄ４）及び（Ｄ５）のうちの一つに格納された地図情報のうちの所望の階層を成すものが、そのＣＤ−ＲＯＭ（Ｄ１），（Ｄ２），（Ｄ３），（Ｄ４）及び（Ｄ５）のうちの一つから選択読出しされ、それがＰＣＤ（ＰＶ）にナビゲーション装置により読み出して利用することが可能とされる態様をもって書き込まれることによって取り込まれ、その結果、ＰＣＤ（Ｐ）がナビゲーション装置用情報記録媒体として得られるのである。
【００６８】
このようにして得られるナビゲーション装置用情報記録媒体であるＰＣＤ（Ｐ）は、例えば、車両に搭載されるナビゲーション装置１６に装着されて用いられる。その際には、ナビゲーション装置用情報記録媒体であるＰＣＤ（Ｐ）は、ナビゲーション装置１６の使用者にとって、自らが望む所望の地図情報が収集されて格納されたものであり、それを使用するナビゲーション装置の使用者は、例えば、分類を異にする数多くの情報記録媒体を取り揃えて、それらをナビゲーション装置における情報再生部に選択的に装着することを必要とすることなく、一つの情報記録媒体であるＰＣＤ（Ｐ）から所望の地図情報を効率良く得ることができることになる。
【００６９】
【発明の効果】
以上の説明から明らかな如く、本発明に係る地図情報処理装置あっては、一つの情報記録媒体に、例えば、複数の情報記録媒体の夫々に格納された地図情報のうちの、営業時間帯によって選択された特定の店舗もしくはサービス施設をあらわすサービス情報データとされる地図情報のみが、収集されて取り込まれることになり、それによって所望の店舗もしくはサービス施設をあらわすサービス情報データが取り込まれたナビゲーション装置用情報記録媒体が得られる。
【００７０】
このようなナビゲーション装置用情報記録媒体を得ることができる本発明に係る地図情報処理装置によれば、ナビゲーション装置の使用者が自らが用いるナビゲーション装置用情報記録媒体を得る場合には、そのナビゲーション装置の使用者は、自らが望む所望の地図情報が収集されて格納されたナビゲーション装置用情報記録媒体を、容易に得ることができることになる。
【００７１】
そして、斯かるナビゲーション装置用情報記録媒体が、ナビゲーション装置における情報再生部に装着され、それに格納された地図情報が再生されて利用されるときには、ナビゲーション装置の使用者は、例えば、分類を異にする数多くの情報記録媒体を取り揃えて、それらをナビゲーション装置における情報再生部に選択的に装着することが要されず、一つの情報記録媒体から所望の地図情報を効率良く得ることができる状況のもとにおかれる。即ち、本発明に係る地図情報処理装置により、ナビゲーション装置の使用者にとって、分類を異にする数多くの情報記録媒体を取り揃えて情報再生部に選択的に装着することが要されず、例えば、一つの情報記録媒体から所望の店舗もしくはサービス施設をあらわすサービス情報データとされる地図情報を効率良く得ることができる状況がもたらされるのである。
【図面の簡単な説明】
【図１】本発明に係る地図情報処理装置の一例、及び、本発明に係る地図情報処理装置の一例により得られたナビゲーション装置用情報記録媒体が用いられるナビゲーション装置を示すブロック構成図である。
【図２】本発明に係る地図情報処理装置の一例におけるデータ読出し／書込み処理部が実行する制御プログラムの例をあらわすフローチャートである。
【図３】本発明に係る地図情報処理装置の一例におけるデータ選択用画面の一例を示す概念図である。
【図４】本発明に係る地図情報処理装置の一例におけるデータ選択用画面の例を示す概念図である。
【図５】本発明に係る地図情報処理装置の一例におけるデータ選択用画面の例を示す概念図である。
【図６】本発明に係る地図情報処理装置の一例におけるデータ記録用画面の例を示す概念図である。
【図７】本発明に係る地図情報処理装置の一例におけるデータ記録用画面の例を示す概念図である。
【図８】本発明に係る地図情報処理装置の一例におけるデータ記録用画面の例を示す概念図である。
【図９】本発明に係る地図情報処理装置』の一例におけるデータ記録用画面の例を示す概念図である。
【符号の説明】
１１，１２  ディスク・ドライブ部
１３  データ読出し／書込み処理部
１４  キーボード
１５  マウス
１６  ナビゲーション装置
（Ｄ１），（Ｄ２），（Ｄ３），（Ｄ４），（Ｄ５）    ＣＤ−ＲＯＭ
（ＰＶ），（Ｐ）    ＰＣＤ
【図１】
0003624612.tif 000002
【図２】
0003624612.tif 000003
【図３】
0003624612.tif 000004
【図４】
0003624612.tif 000005
【図５】
0003624612.tif 000006
【図６】
0003624612.tif 000007
【図７】
0003624612.tif 000008
【図８】
0003624612.tif 000009
【図９】
0003624612.tif 000010